(57)【要約】【課題】先端工具の角度を調整する菊座アダプタの機能を備えると共に、菊座アダプタを緩めることなく角度調整を可能とする機構を備えた先端工具角度調整アダプタを提供する。【解決手段】先端工具角度調整アダプタ１は、活線作業に使用される共用操作棒に着脱可能なジョイント金具２と、該ジョイント金具２から軸方向に延出するねじ部３１及び該ねじ部の先端に球状に形成された連結部３２からなる軸部３と、軸部３のねじ部３１に螺合し、ジョイント金具とは反対側の端面が軸部の軸心に対して傾斜する垂線を有する傾斜面４２に形成されたロックリングネジ４と、ロックリングネジ４の傾斜面４２と対峙する傾斜面５１が基端側に形成され、この傾斜面上に軸部３の連結部３２が回転自在に係合する球状凹部５２が形成され、さらに先端側に活線作業に使用される先端工具が装着される菊座ジョイント６の一方を備える先端工具装着部５を備える。【選択図】  図１
2015033249.tif 000002
【特許請求の範囲】
【請求項１】
活線作業に使用される共用操作棒に着脱可能なジョイント金具と、
前記ジョイント金具から軸方向に延出したねじ部及び該ねじ部の先端に球状に形成された連結部からなる軸部と、
該軸部のねじ部に螺合し、前記ジョイント金具とは反対側の端面が前記軸部の軸心に対して傾斜する垂線を有する傾斜面に形成されたロックリングネジと、
前記ロックリングネジの前記傾斜面と接触可能な傾斜面が基端側に形成されると共にこの傾斜面上に前記軸部の連結部が回転自在に係合する球状凹部が形成され、さらに先端側に活線作業に使用される先端工具が装着される菊座ジョイントの一方を備える先端工具装着部と
を具備することを特徴とする先端工具角度調整アダプタ。
【請求項２】
前記菊座ジョイントは、前記先端工具装着部の先端部に設けられ、所定の角度間隔で周方向に配置された歯部を有する第１の菊座と、前記先端工具の基端部に設けられ、所定の角度間隔で周方向に配置された歯部を有する第２の菊座と、前記第１の菊座の歯部と第２の菊座の歯部とを噛み合わせてその状態を固定する固定手段とによって構成され、前記第１の菊座と第２の菊座との少なくとも一方は磁化された部分を有することを特徴とする請求項１記載の先端工具角度調整アダプタ。
【発明の詳細な説明】
【技術分野】
【０００１】
本発明は、高圧配電線における活線作業の間接活線工法に使用する間接活線工具の共用操作棒に取り付けられ、各種先端工具を接続するために使用される先端工具角度調整アダプタに関する。
【背景技術】
【０００２】
特許文献１（特開２００９−２７０５号公報）は、配電線の周囲を囲むように位置させる電流計のセンサ部を開閉する際に用いる開閉道具および開閉アダプタに関するもので、同文献には、クランプ式電流計のクランプ部を開閉する際に用いる専用の開閉アダプタを菊座アダプタを介して絶縁操作棒の先端部に取り付ける構成が開示されている。
【０００３】
また、特許文献２（特開２０１０−４６５７号公報）は、間接活線作業において高圧カバー類の取り外し時に使用される間接活線先端工具に関するもので、同公報には、間接活線先端工具が、帯板状の基部と、この基部の長手方向の一端側に連接されているＵ字板状の先端部と、前記基部の長手方向の他端側に設けられた取り付け部とを備え、取り付け部が、基部の角度を、この基部の面と平行な面内、又はこの基部の面と直交する面内で調整する手段を有している構成が開示されている。
【０００４】
特許文献３（特開２０１０−１７８４２４号公報）は、間接活線工法において高圧銅電線へ接続するコネクタを保持するためのコネクタ保持工具に関するもので、同公報には、コネクタ保持工具のクランプとねじ部を回転させる操作部との間が自在継手で連結される構成が開示されている。
【先行技術文献】
【特許文献】
【０００５】
【特許文献１】特開２００９−２７０５号公報
【特許文献２】特開２０１０−４６５７号公報
【特許文献３】特開２０１０−１７８４２４号公報
【発明の概要】
【発明が解決しようとする課題】
【０００６】
しかしながら、特許文献１及び特許文献２で示されるコネクタ保持工具は、菊座アダプタによって先端工具の角度を変化させることはできるが、菊座アダプタによって一度固定した角度が適合していない場合には、蝶ボルトを緩めて角度を訂正し、再び蝶ボルトを締め付けるという作業が必要になる。この場合、蝶ボルトを緩めたときに先端工具が菊座アダプタから外れて落下してしまう不具合が懸念される。
【０００７】
また、特許文献３で示すように、ボールジョイントによる自在継手を用いた場合には、作業中に角度が変化してしまう不具合が生じる。
【０００８】
本発明は、係る事情に鑑みてなされたものであり、先端工具の角度を調整する菊座アダプタの機能を有すると共に、菊座アダプタに先端工具を取り付けた後は、これを緩めることなく角度調整を行うことが可能な機構を備えた先端工具角度調整アダプタを提供することを主たる課題としている。
【課題を解決するための手段】
【０００９】
したがって、本願発明に係る先端工具角度調整アダプタは、活線作業に使用される共用操作棒に着脱可能なジョイント金具と、前記ジョイント金具から軸方向に延出したねじ部及び該ねじ部の先端に球状に形成された連結部からなる軸部と、該軸部のねじ部に螺合し、前記ジョイント金具とは反対側の端面が前記軸部の軸心に対して傾斜する垂線を有する傾斜面に形成されたロックリングネジと、前記ロックリングネジの前記傾斜面と接触可能な傾斜面が基端側に形成されると共にこの傾斜面上に前記軸部の連結部が回転自在に係合する球状凹部が形成され、さらに先端側に活線作業に使用される先端工具が装着される菊座ジョイントの一方を備える先端工具装着部とを具備するものである。
【００１０】
これによって、ロックリングネジを前記軸部のねじ部の周囲で回転させることによってロックリングネジの傾斜面の傾斜方向を変化させることでき、また、先端工具装着部を前記連結部を中心に回転させることによって、先端工具装着部の傾斜面がロックリングネジの傾斜面に沿って回転するため、先端工具装着部がこの回転に伴って前記軸部に対して傾斜角度を変化させることが可能となる。
【００１１】
ここで、前記菊座ジョイントは、前記先端工具装着部の一端部に設けられ、所定の角度間隔で周方向に配置された歯部を有する第１の菊座と、前記先端工具の基端に設けられ、所定の角度間隔で周方向に配置された歯部を有する第２の菊座と、前記第１の菊座の歯部と第２の菊座の歯部とをかみ合わせてその状態を固定する固定手段とによって構成され、前記第１の菊座と第２の菊座との少なくとも一方は磁化された部分を有することが望ましい。
【００１２】
これによって、固定手段によって固定される前に、先端工具の第２の菊座が第１の菊座に磁力によって仮固定可能であるため、固定手段による固定が容易になる。
【発明の効果】
【００１３】
以上説明したように、本願発明によれば、菊座ジョイントによる先端工具の角度変更の他に、ロックリングネジを軸部のねじ部の周囲に回転させることによって、又は、先端工具装着部を連結部を中心に回転させることによって菊座ジョイントが設けられる先端工具装着部自体の傾斜角度を変更することができるため、菊座アダプタに先端工具を取り付けた後は、これを緩めることなく角度調整を行うことが可能となる。
このため、従来のように蝶ボルトを緩めて先端工具の角度調整を行う操作が不要となるので、角度調整の際に先端工具の脱落を防止することが可能となる。
【図面の簡単な説明】
【００１４】
【図１】本発明に係る先端工具角度調整アダプタを示す構成図である。
【図２】本発明に係る先端工具角度調整アダプタの分解部品図であり、（ａ）は先端工具、（ｂ）は先端工具装着部、（ｃ）は軸部、（ｄ）はロックリングネジ、（ｅ）はジョイント金具である。
【図３】本願発明に係る先端工具角度調整アダプタの菊座ジョイントの説明図であり、（ａ）は菊座ジョイントの一方を構成する菊座（第１の菊座）を示す図、（ｂ）は菊座ジョイントの他方を構成する菊座（第２の菊座）を示す図、（ｃ）は先端工具がまっすぐに装着された状態を示す説明図、（ｄ）は先端工具が傾斜して装着された状態を示す説明図である。
【図４】本発明に係る先端工具角度調整アダプタの先端工具装着部を１８０°回転させて図面左方向に傾斜させた状態を示す図である。
【図５】本願発明に係る先端工具角度調整アダプタのロックリングネジを１８０°回転させて図面右方向に傾斜させた状態を示す図である。
【発明を実施するための最良の形態】
【００１５】
以下、この発明の実施例について図面により説明する。
【実施例】
【００１６】
本願発明に係る先端工具角度調整アダプタ１は、図１及び図２に示すもので、図示しない共用操作棒の先端に取り付けられるものである。
【００１７】
先端工具角度調整アダプタ１は、高圧配電線における活線作業に使用される共用操作棒に着脱可能なジョイント金具２と、このジョイント金具に固定された軸部３と、この軸部３に取付けられるロックリングネジ４及び先端工具装着部５とを具備して構成されている。
【００１８】
ジョイント金具は、それ自体公知のもので、共用操作棒の先端に形成された図示しない係合ピンを装着するためのＴ字溝２１を具備する。
【００１９】
軸部３は、ジョイント金具２に一体に形成されるものであっても、別体に形成されてジョイント金具２に螺合、溶接等の手段で結合されるものであってもよく、ジョイント金具２から軸方向に延出されて外周面に雄ネジが形成されたねじ部３１と、このねじ部３１の先端に球状に一体形成された連結部３２とを備え、連結部３２は、ねじ部３１の直径よりも大きく形成されている。
【００２０】
ロックリングネジ４は、軸部３のねじ部３１に螺合するもので、前記ジョイント金具側の端面に軸部３の軸心に対して垂直となる平面４１が形成され、この平面４１が形成された側と軸方向で反対側の端面に軸部３の軸心に対して傾斜する垂線を有する第１の傾斜面４２が形成されている。また、このロックリングネジ４には、その軸芯上に、平面４１から第１の傾斜面４２にかけて貫通し、内周面に雌ねじが形成されて前記軸部３のねじ部３１が螺合するねじ孔４３が形成されている。
【００２１】
先端工具装着部５は、ロックリングネジ４に対してジョイント金具２とは反対側に設けられているもので、基端側にロックリングネジ４の第１の傾斜面４２と接触可能な第２の傾斜面５１が形成され、この第２の傾斜面上に前記軸部３の連結部３２が回転自在に係合する球状凹部５２が形成されている。したがって、この先端工具装着部５は、ロックリングネジ４に対して軸部３を介して回転可能に連結され、連結部３２を中心に回転できるようになっている。
【００２２】
また、先端工具装着部５の先端部は、先端に向かうほど、漸次縮径するように形成され、その先端には、活線作業に使用される先端工具７が装着される菊座ジョイント６の一方を構成する菊座（第１の菊座）６１が形成されている。この第１の菊座６１は、先端工具装着部５の軸心に対して垂直となる垂線を有する平面上に形成され、図３（ａ）に示されるように、所定の角度間隔で円周上に突設形成された複数の歯部６３を具備している。なお、第１の菊座６１には、下記する第２の菊座７１を固定するための固定手段として、蝶ネジ６２が設けられている。
【００２３】
これに対して、先端工具７の基端には、図３（ｂ）に示されるように、前記第１の菊座６１の歯部６３と噛合する歯部７２が所定の角度間隔で周方向に配置された第２の菊座７１が形成されている。この第２の菊座７１には、前記蝶ネジ６２を避けて前記第１の菊座６１に噛合するための装着凹部７３が形成されている。これによって、第２の菊座７１を第１の菊座６１に所望の角度が得られるように噛合させて蝶ネジ６２を締め付けることで先端工具７が先端工具装着部５に対して所望の角度で固定できるようになっている（図３（ｃ）は、先端工具７が先端工具装着部５に対して直線上に配置された状態を示すものであり、図３（ｄ）は、先端工具７が先端工具装着部５に対して所定の角度で傾斜して配置された状態を示すものである）。
【００２４】
なお、前記第１の菊座６１及び第２の菊座７１の少なくともいずれか一方は磁化されており、第１の菊座６１と第２の菊座７１とを磁力によって仮止めできるようになっている。
【００２５】
以上の構成において、先端工具角度調整アダプタ１は、通常においては、図１に示すように、ジョイント金具２、ロックリングネジ４、及び先端工具装着部５を直線上に配置しているものであるが、先端工具７を図４に示すように図面左側に傾斜させたい場合には、前記先端工具装着部５を、前記連結部３２を中心としてロックリングネジ４の傾斜面４２に沿って回転させつつ、ジョイント金具２を適宜回転させてロックリングネジ４と先端工具装着部５とを圧接させる。これによって、前記先端工具装着部５の傾斜面５１が前記ロックリングネジ４の傾斜面４２に対して反対側に傾斜することになるため、前記先端工具７は、先端工具装着部５と共に左側に傾斜することとなる。
【００２６】
また、先端工具７を図５に示すように図面右側に傾斜させたい場合には、前記ロックリングネジ４を回転させて傾斜面４２を反対側に傾斜させつつ、ジョイント金具２を適宜回転させてロックリングネジ４と先端工具装着部５とを圧接させる。これによって、前記先端工具装着部５の傾斜面５１が前記ロックリングネジ４の傾斜面４２に対して反対側に傾斜することになるため、前記先端工具７は、先端工具装着部５と共に右側に傾斜する。
【００２７】
このように、ロックリングネジ４をねじ部３１を中心として３６０°回転させることができ、また、先端工具装着部５も連結部３２を中心として３６０°回転させることができるので、これらロックリングネジ４と先端工具装着部５の回転により、先端工具を任意の方向を向けて共用操作棒の軸心に対する角度を調整することが可能となる。このため、先端工具７を先端工具装着部５に菊座ジョイント６を利用して一旦取り付ければ、蝶ボルト６２を緩めて先端工具の角度を調整し直さなくても、ロックリングネジ４と先端工具装着部５とを適宜回転させることにより、角度調整を行うことが可能となる。また、蝶ボルト６２を緩めて先端工具の角度調整を行う操作が不要となるので、角度調整の際に先端工具が脱落する恐れがなくなる。
【符号の説明】
【００２８】
１  先端工具角度調整アダプタ
２  ジョイント金具
３  軸部
４  ロックリングネジ
５  先端工具装着部
６  菊座ジョイント
７  先端工具
２１  Ｔ字溝
３１  ねじ部
３２  連結部
４１  水平面
４２  傾斜面
５１  傾斜面
５２  球状凹部
６１  第１の菊座
６２  蝶ネジ
６３  歯部
７１  第２の菊座
７２  歯部
【図１】
2015033249.tif 000003
【図２】
2015033249.tif 000004
【図３】
2015033249.tif 000005
【図４】
2015033249.tif 000006
【図５】
2015033249.tif 000007